(57)【要約】【課題】ユーザでも簡単にデジタルＣＡＴＶ受信手段の受信設定ができるデジタルＣＡＴＶ送受信システムを提供することを目的とする。【解決手段】デジタルＣＡＴＶ受信手段の設置の際に、双方向通信網を介してデジタルＣＡＴＶ送信手段などの運用パラメータサーバ部１１２に接続し、デジタルＣＡＴＶ送信手段の運用に対応した受信パラメータをデジタルＣＡＴＶ受信手段の運用パラメータ取得部１１０で取得し、不揮発性メモリ１０９に格納することにより受信設定を完了する。【選択図】図１
2006186514.tif 000002
【特許請求の範囲】
【請求項１】
受信チャンネルを選択する選局部と、受信機全体を制御する制御部と、サービス運用するチャンネル情報を含む選局情報を格納した運用パラメータサーバ部を有し複数番組をデジタル信号として多重し送信することを特徴とするデジタルＣＡＴＶ送信手段における前記運用パラメータサーバ部から双方向通信網を介して前記選局部で用いる前記選局情報を取得する運用パラメータ取得部と、前記選局情報を格納する不揮発性メモリとを有し、送信された多重化デジタル信号を受信し設置の際には受信設定を行うことを特徴とするデジタルＣＡＴＶ受信手段。
【請求項２】
運用パラメータ取得部は、ケーブルモデムを使用することを特徴とする請求項１記載のデジタルＣＡＴＶ受信手段。
【請求項３】
運用パラメータ取得部は、電話モデムを使用することを特徴とする請求項１記載のデジタルＣＡＴＶ受信手段。
【請求項４】
サービス運用するチャンネル情報を含む選局情報を格納した運用パラメータサーバ部を有し、複数番組をデジタル信号として多重し送信することを特徴とするデジタルＣＡＴＶ送信手段と、
受信チャンネルを選択する選局部と、受信機全体を制御する制御部と、前記運用パラメータサーバ部から双方向通信網を介して前記選局部で用いる前記選局情報を取得する運用パラメータ取得部と、前記選局情報を格納する不揮発性メモリとを有し、送信された多重化デジタル信号を受信し設置の際には受信設定を行うことを特徴とするデジタルＣＡＴＶ受信手段と、
を具備するデジタルＣＡＴＶ送受信システム。
【発明の詳細な説明】
【技術分野】
【０００１】
本発明は、デジタルＣＡＴＶ受信手段を設置する際に必要となる、受信条件の設定に関するものである。
【背景技術】
【０００２】
図５は、従来のデジタルＣＡＴＶ送受信システムの構成を示すブロック図である。ＣＡＴＶでは市販のデジタル放送受信機とは異なり、地上波デジタル、ＢＳデジタル、ＣＳデジタル、リマックス、自主放送などのサービスをするネットワークや、使用するチャンネル（周波数）が、デジタルＣＡＴＶ送信手段によって任意に運用される。そのため、デジタルＣＡＴＶ送信手段からリースされるデジタルＣＡＴＶ受信手段は、設置の際にサービスマンがデジタルＣＡＴＶ受信手段の特殊なモードを操作して、デジタルＣＡＴＶ送信手段がサービス運用しているネットワークの種類、ＮＩＴ（ｎｅｔｗｏｒｋ＿ｉｎｆｏｒｍａｔｉｏｎ＿ｔａｂｌｅ）を取得するための周波数など受信に必要となる初期設定を行っていた。
【０００３】
しかし、将来デジタルＣＡＴＶ受信手段が市販されるようになった場合、ユーザは、設置の際に受信のために必要となるデジタルＣＡＴＶ送信手段によって異なる設定情報を入手し、従来は専門のサービスマンが実施していた複雑な受信設定を行うことが必要となる。
【０００４】
この改善策として、すべてのチャンネルの周波数を自動的にサーチして、受信されたチャンネルから、運用されているｎｅｔｗｏｒｋ＿ｉｄ、ｓｅｒｖｉｃｅ＿ｉｄなどを判断して受信設定をする方法もある（例えば非特許文献１参照。）が、ＣＡＴＶの場合は、ＶＨＦチャンネル１〜１２、ＵＨＦチャンネル１３〜６２、ＣＡＴＶ用チャンネルＣ１３〜Ｃ６３と、チャンネル数が多いため、すべてのチャンネルをサーチするには、時間がかかり、また信号の状態によってはサーチした時に正しく受信できない場合もある。
【非特許文献１】ＡＲＩＢ  ＴＲ−Ｂ１４  「地上デジタルテレビジョン放送運用規定」第二編  地上デジタルテレビジョン放送  受信機機能仕様書
【発明の開示】
【発明が解決しようとする課題】
【０００５】
しかしながら、デジタルＣＡＴＶ送信手段によって使用するチャンネルなどサービス運用が異なるため、デジタルＣＡＴＶ受信手段を市販にした時に、一般のユーザが加入するデジタルＣＡＴＶ送信手段に対応した受信設定を簡単にできないという問題点を有していた。
【０００６】
本発明は、ユーザでも簡単にデジタルＣＡＴＶ受信手段の受信設定ができるデジタルＣＡＴＶ送受信システムを提供することを目的とする。
【課題を解決するための手段】
【０００７】
本発明のデジタルＣＡＴＶ受信手段は、受信チャンネルを選択する選局部と、受信機全体を制御する制御部と、サービス運用するチャンネル情報を含む選局情報を格納した運用パラメータサーバ部を有し複数番組をデジタル信号として多重し送信することを特徴とするデジタルＣＡＴＶ送信手段における前記運用パラメータサーバ部から双方向通信網を介して前記選局部で用いる前記選局情報を取得する運用パラメータ取得部と、前記選局情報を格納する不揮発性メモリとを有し、送信された多重化デジタル信号を受信し設置の際には受信設定を行うことを特徴とする。
【０００８】
また、運用パラメータ取得部は、ケーブルモデムを使用することを特徴とする。
【０００９】
さらに、運用パラメータ取得部は、電話モデムを使用することを特徴とする。
【００１０】
本発明のデジタルＣＡＴＶ送受信システムは、サービス運用するチャンネル情報を含む選局情報を格納した運用パラメータサーバ部を有し、複数番組をデジタル信号として多重し送信することを特徴とするデジタルＣＡＴＶ送信手段と、受信チャンネルを選択する選局部と、受信機全体を制御する制御部と、前記運用パラメータサーバ部から双方向通信網を介して前記選局部で用いる前記選局情報を取得する運用パラメータ取得部と、前記選局情報を格納する不揮発性メモリとを有し、送信された多重化デジタル信号を受信し設置の際には受信設定を行うことを特徴とするデジタルＣＡＴＶ受信手段と、
を具備することを特徴とする。
【発明の効果】
【００１１】
本発明のデジタルＣＡＴＶ送受信システムは、デジタルＣＡＴＶ送信手段の運用によって異なる設置の際に必要となる選局情報を、デジタルＣＡＴＶ送信手段などのサーバから自動的に取得することによって、ユーザでも簡単にデジタルＣＡＴＶ受信手段の受信設定ができる利点がある。
【発明を実施するための最良の形態】
【００１２】
デジタルＣＡＴＶ受信手段の設置の際に必要となる受信周波数など、デジタルＣＡＴＶ送信手段のサービス運用の情報取得を、双方向通信網を使用することによって自動的に行い、ユーザによる簡単な初期の受信設定手段を実現した。
（実施の形態１）
図１は、本発明の実施の形態１におけるデジタルＣＡＴＶ送受信システムの構成を示すブロック図である。１０１〜１０９は、図５と同様である。１０１はデジタルＣＡＴＶ送信手段、１０２は衛星などからデジタルＣＡＴＶ送信手段でサービス運用する番組を受信するチューナ、１０３は独自放送番組などのための映像、音声エンコーダ、１０４は複数番組のデジタル信号を合成する多重化部、１０５は多重化されたデジタル信号をチャンネルごとに送出するための変調部、１０６はデジタルＣＡＴＶ受信手段、１０７は受信チャンネルを選択するための選局部、１０８はデジタルＣＡＴＶ受信手段全体を制御するシステムコントローラ、１０９は選局情報を記憶する不揮発性メモリ、１１０は双方向通信網１１１によりサーバから運用情報を取得する運用パラメータ取得部、１１１は双方向通信網、１１２はデジタルＣＡＴＶ送信手段で運用しているサービスのネットワーク、チャンネル周波数などを格納している運用パラメータサーバ部である。
【００１３】
図２は本発明の実施の形態１における受信設定処理のフローチャートである。ユーザがデジタルＣＡＴＶ受信手段１０６を操作して受信設定を開始すると（ステップ２０１）、デジタルＣＡＴＶ受信手段１０６全体を制御するシステムコントローラ１０８により双方向通信網１１１を使用してデジタルＣＡＴＶ送信手段などの運用パラメータサーバ部１１２に接続をする（ステップ２０２）。サーバに接続したら、データの通信を行い、デジタルＣＡＴＶ送信手段１０１のサービス受信に必要となるネットワーク、チャンネル周波数などのデータを取得する（ステップ２０３）。次に取得した受信設定データを不揮発性メモリ１０９に格納して（ステップ２０４）、受信設定を完了する（ステップ２０５）。ここで、運用パラメータサーバ部１１２はケーブルテレビ局とは別の場所に設置しても良い。
（実施の形態２）
図３は、本発明の実施の形態２におけるデジタルＣＡＴＶ送受信システムの構成を示すブロック図である。双方向通信網として、ＣＡＴＶ回線網１１４を使用し、実施の形態１における運用パラメータ取得部１１０に相当する箇所をケーブルモデム部１１３で構成し、図２の受信設定処理を行うことにより受信設定を完了する。ケーブルモデム部は、デジタルＣＡＴＶ受信手段に内蔵ではなく、外部にケーブルモデムを接続しても良い。
（実施の形態３）
図４は本発明の実施の形態３におけるデジタルＣＡＴＶ送受信システムの構成を示すブロック図である。双方向通信網として、電話回線網１１６を使用し、実施の形態１における運用パラメータ取得部１１０に相当する箇所を電話モデム部１１５で構成し、図２の受信設定処理を行うことにより受信設定を完了する。
【産業上の利用可能性】
【００１４】
本発明のデジタルＣＡＴＶ送受信システムは、設置の際に必要となるデジタルＣＡＴＶ送信手段によって異なる受信設定情報を、デジタルＣＡＴＶ送信手段のサーバから自動的に取得することによって、簡単に受信設定ができるので、従来のような専門のサービスマンによるデジタルＣＡＴＶ受信手段の設置が不要になるという利点を有し、デジタルＣＡＴＶ受信手段の市販化に対応する技術として有用である。
【図面の簡単な説明】
【００１５】
【図１】本発明の実施の形態１におけるデジタルＣＡＴＶ送受信システムの構成を示すブロック図
【図２】本発明の実施の形態１における受信設定処理のフローチャート
【図３】本発明の実施の形態２におけるデジタルＣＡＴＶ送受信システムの構成を示すブロック図
【図４】本発明の実施の形態３におけるデジタルＣＡＴＶ送受信システムの構成を示すブロック図
【図５】従来のデジタルＣＡＴＶ送受信システムの構成を示すブロック図
【符号の説明】
【００１６】
１０１    デジタルＣＡＴＶ送信手段
１０２    チューナ
１０３    エンコーダ
１０４    多重化部
１０５    変調部
１０６    デジタルＣＡＴＶ受信手段
１０７    選局部
１０８    システムコントローラ
１０９    不揮発性メモリ
１１０    運用パラメータ取得部
１１１    双方向通信網
１１２    運用パラメータサーバ部
１１３    ケーブルモデム部
１１４    ＣＡＴＶ回線網
１１５    電話モデム部
１１６    電話回線網
【図１】
2006186514.tif 000003
【図２】
2006186514.tif 000004
【図３】
2006186514.tif 000005
【図４】
2006186514.tif 000006
【図５】
2006186514.tif 000007